(57)【要約】【課題】異なった通信システムが相互接続する場合に、音声を確実に転送する技術を提供する。【解決手段】第１受信部４０は、双方向の通話を実行する第１通信システムにおける第１端末装置から、片方向の通話を実行する第２通信システムにおける第２端末装置への音声信号を受信する。第１送信部４２は、第１受信部４０において受信した音声信号を第２端末装置へ送信する。第２受信部４４は、第２端末装置から第１端末装置への音声信号を受信する。第２送信部４６は、第２受信部４４において受信した音声信号を第１端末装置へ送信する。記憶部５０は、第２受信部４４が受信した音声信号を第２送信部４６が送信している場合に、第１受信部４０において受信した音声信号を記憶する。第１送信部４２は、第２受信部４４における音声信号の受信が終了した場合に、記憶部５０に記憶した音声信号を送信する。【選択図】図２
2015192340.tif 000002
【特許請求の範囲】
【請求項１】
双方向の通話を実行する第１通信システムにおける第１端末装置から、片方向の通話を実行する第２通信システムにおける第２端末装置への音声信号を受信する第１受信部と、
前記第１受信部において受信した音声信号を前記第２端末装置へ送信する第１送信部と、
前記第２端末装置から前記第１端末装置への音声信号を受信する第２受信部と、
前記第２受信部において受信した音声信号を前記第１端末装置へ送信する第２送信部と、
前記第２受信部が受信した音声信号を前記第２送信部が送信している場合に、前記第１受信部において受信した音声信号を記憶する記憶部とを備え、
前記第１送信部は、前記第２受信部における音声信号の受信が終了した場合に、前記記憶部に記憶した音声信号を送信することを特徴とする転送装置。
【請求項２】
前記記憶部は、前記第１受信部において受信した音声信号を記憶している途中において、前記第２受信部における音声信号の受信が終了した場合であっても、前記第１受信部において受信した音声信号の記憶を続行し、
前記第１送信部は、前記第２受信部における音声信号の受信が終了した場合に、前記記憶部における音声信号を記憶した順に送信することを特徴とする請求項１に記載の転送装置。
【請求項３】
前記第２送信部は、前記第２受信部において受信した音声信号を送信している間に、前記記憶部における音声信号の記憶が開始された場合、前記第２受信部において受信した音声信号を送信する際の話速を遅くし、
前記第１送信部は、前記第２受信部における音声信号の受信が終了した場合に、前記記憶部に記憶した音声信号を送信し、
前記第２送信部は、前記第２受信部において受信した音声信号の送信が終了するタイミングが、前記第１送信部における音声信号の送信が終了するタイミングに近くなるように、話速を調節することを特徴とする請求項１に記載の転送装置。
【請求項４】
前記第２受信部が受信した音声信号を前記第２送信部が送信している場合に、前記第１受信部における音声信号の受信を検知する検知部をさらに備え、
前記第１送信部は、前記検知部が受信を検知した場合、制御信号を前記第２端末装置へ送信することを特徴とする請求項１から３のいずれかに記載の転送装置。
【請求項５】
双方向の通話を実行する第１通信システムにおける第１端末装置から、片方向の通話を実行する第２通信システムにおける第２端末装置への音声信号を受信するステップと、
前記第１端末装置から受信した音声信号を前記第２端末装置へ送信するステップと、
前記第２端末装置から前記第１端末装置への音声信号を受信するステップと、
前記第２端末装置から受信した音声信号を前記第１端末装置へ送信するステップと、
前記第２端末装置からの音声信号を前記第１端末装置へ送信している場合に、前記第１端末装置から受信した音声信号をメモリに記憶するステップと、
前記第２端末装置からの音声信号の受信が終了した場合に、前記メモリに記憶した音声信号を前記第２端末装置へ送信するステップと、
を備えることを特徴とする転送方法。
【発明の詳細な説明】
【技術分野】
【０００１】
本発明は、転送技術に関し、特に異なった通信システムにおいて音声信号を転送する転送装置、転送方法に関する。
【背景技術】
【０００２】
移動局の無線機と固定通信網に接続される電話機との交信を可能とする通信システムが開示されている。（例えば、特許文献１）しかしながら、単信（半二重）方式の無線機と、複信（全二重）方式の電話機とが、基地局を介して通信を行う場合、無線機が送信中の場合は電話機から送話された音声を無線機側のユーザは聞くことはできない。転送元子機からの転送要求指令に伴うメッセージを記憶するとともに、これを読み出して転送先子機への転送要求通知に付加する手段を親機の側に設けたため、同時に１台の子機としか無線回線の接続ができない親機を備えた無線電話装置であっても、親機のメッセージ一時記憶機能を利用することにより、転送元子機から転送先子機へと親機を仲介してメッセージを伝達する技術が開示されている。（例えば、特許文献２）。
【先行技術文献】
【特許文献】
【０００３】
【特許文献１】特開２０００−４４７４号公報
【特許文献２】特開平６−６２０９４号公報
【発明の概要】
【発明が解決しようとする課題】
【０００４】
業務用無線システムでは、複数の端末装置によってグループが形成されており、基地局装置は、グループに対してチャネルを割り当てる。このような業務用無線システムでは、グループ内の通話が主として使用され、１対多の通話形態になる。また、業務用無線システムにおいて音声信号を送信している端末装置は、音声信号を受信することができず、音声信号を受信している端末装置は、音声信号を送信することができないので、業務用無線システムは、片方向の通話を実行する。一方、移動通信システムは、双方向の通話を実行する。ユーザの利便性を向上するために、業務用無線システムと移動通信システムとの相互接続が要求される。その際、業務無線用端末装置は、送信の終了時に移動通信用端末装置にビープ音を送信することによって、移動通信用端末装置のユーザに送信終了を知らせていた。
【０００５】
しかしながら、移動通信用端末装置のユーザは、片方向の通話になれていないので、業務無線用端末装置が送信中であっても話し始めてしまう。特に、業務無線用端末装置のユーザの発話に少し間があったときなどに、業務無線用端末装置が送信中であっても、移動通信用端末装置のユーザが話し始めてしまう可能性が高い。その結果、業務無線用端末装置の送信中に、移動通信用端末装置のユーザが話した音声を業務無線用端末装置のユーザが聞けなくなる。
【０００６】
本発明はこうした状況に鑑みてなされたものであり、その目的は、異なった通信システムが相互接続する場合に、音声を確実に転送する技術を提供することである。
【課題を解決するための手段】
【０００７】
上記課題を解決するために、本発明のある態様の転送装置は、双方向の通話を実行する第１通信システムにおける第１端末装置から、片方向の通話を実行する第２通信システムにおける第２端末装置への音声信号を受信する第１受信部と、第１受信部において受信した音声信号を第２端末装置へ送信する第１送信部と、第２端末装置から第１端末装置への音声信号を受信する第２受信部と、第２受信部において受信した音声信号を第１端末装置へ送信する第２送信部と、第２受信部が受信した音声信号を第２送信部が送信している場合に、第１受信部において受信した音声信号を記憶する記憶部とを備える。第１送信部は、第２受信部における音声信号の受信が終了した場合に、記憶部に記憶した音声信号を送信する。
【０００８】
本発明の別の態様は、転送方法である。この方法は、双方向の通話を実行する第１通信システムにおける第１端末装置から、片方向の通話を実行する第２通信システムにおける第２端末装置への音声信号を受信するステップと、第１端末装置から受信した音声信号を第２端末装置へ送信するステップと、第２端末装置から第１端末装置への音声信号を受信するステップと、第２端末装置から受信した音声信号を第１端末装置へ送信するステップと、第２端末装置からの音声信号を第１端末装置へ送信している場合に、第１端末装置から受信した音声信号をメモリに記憶するステップと、第２端末装置からの音声信号の受信が終了した場合に、メモリに記憶した音声信号を第２端末装置へ送信するステップと、を備える。
【０００９】
なお、以上の構成要素の任意の組合せ、本発明の表現を方法、装置、システム、記録媒体、コンピュータプログラムなどの間で変換したものもまた、本発明の態様として有効である。
【発明の効果】
【００１０】
本発明によれば、異なった通信システムが相互接続する場合に、音声を確実に転送できる。
【図面の簡単な説明】
【００１１】
【図１】本発明の実施例１に係る通信システムの構成を示す図である。
【図２】図１の転送装置の構成を示す図である。
【図３】図１の通信システムによる転送手順を示す図である。
【図４】図１の通信システムによる別の転送手順を示す図である。
【図５】図１の通信システムによるさらに別の転送手順を示す図である。
【図６】本発明の実施例２に係る転送装置の構成を示す図である。
【図７】本発明の実施例２に係る通信システムによる転送手順を示す図である。
【図８】本発明の実施例２に係る通信システムによる別の転送手順を示す図である。
【発明を実施するための形態】
【００１２】
（実施例１）
本発明を具体的に説明する前に、まず概要を述べる。本発明の実施例１は、双方向の通話を実行する第１通信システムと、片方向の通話を実行する第２通信システムとの間で音声信号を転送する転送装置に関する。例えば、第１通信システムは、移動通信システムであり、第２通信システムは、業務用無線システムである。移動通信システムでは、基地局装置が、各端末装置に上りチャネルと下りチャネルを割り当てることによって、各端末装置による双方向の通話が可能になる。一方、業務用無線システムでは、複数の端末装置によってグループが形成される。基地局装置は、グループに対して、上りチャネルと下りチャネルを割り当てる。このような状況下において、グループ中のひとつの端末装置（以下、「送信装置」という）が、上りチャネルにて信号を送信し、グループ中の他の端末装置（以下、「受信装置」という）が、下りチャネルにて信号を受信する。なお、送信装置が接続された基地局装置とは異なった基地局装置も、当該グループに対して下りチャネルを割り当てるので、当該基地局装置に接続された受信装置も信号を受信できる。さらに、別のグループに対しても同様の処理がなされるが、異なったグループ間での通信はなされない。
【００１３】
これらのシステムを相互接続した場合、前述のごとく、業務用無線システムの端末装置の送信中に、移動通信システムの端末装置のユーザが話した音声を業務用無線システムの端末装置のユーザが聞けなくなるという課題が生じる。そのため、実施例１では、業務用無線システムの端末装置の送信中に、移動通信システムの端末装置のユーザが話した音声を業務用無線システムの端末装置のユーザが聞くことができるようにすることを目的にする。実施例１に係る転送装置は、業務用無線システムの端末装置の送信中に、移動通信システムの端末装置からの音声をバッファリングしておき、業務用無線システムの端末装置の送信が終了してから、業務用無線システムの端末装置に音声を送信する。
【００１４】
図１は、本発明の実施例１に係る通信システム１００の構成を示す。通信システム１００は、転送装置１０、業務無線用ネットワーク１２、業務無線用基地局装置１４、業務無線用端末装置１６、移動通信用ネットワーク１８、移動通信用基地局装置２０、移動通信用端末装置２２を含む。ここで、業務無線用ネットワーク１２、業務無線用基地局装置１４、業務無線用端末装置１６は、業務用無線システム２４に含まれ、移動通信用ネットワーク１８、移動通信用基地局装置２０、移動通信用端末装置２２は、移動通信システム２６に含まれる。なお、図１では、図を明瞭にするために、業務無線用基地局装置１４、業務無線用端末装置１６、移動通信用基地局装置２０、移動通信用端末装置２２は、ひとつずつ示されているが、これらの数は、「１」に限定されない。
【００１５】
業務無線用基地局装置１４は、図示しない他の業務無線用基地局装置１４と業務無線用ネットワーク１２を介して接続される。業務無線用基地局装置１４は、複数のチャネルを設定可能であり、各チャネルをグループに割り当てる。チャネルには、公知の技術が使用されればよい。ここでは、一例として、ＴＤＭＡ（Ｔｉｍｅ  Ｄｉｖｉｓｉｏｎ  Ｍｕｌｔｉｐｌｅ  Ａｃｃｅｓｓ）／ＦＤＤ（Ｆｒｅｑｕｅｎｃｙ  Ｄｉｖｉｓｉｏｎ  Ｄｕｐｌｅｘ）によって複数のチャネルが多重化されている。なお、ひとつの上りチャネルが上り制御チャネルに使用され、ひとつの下りチャネルが下り制御チャネルに使用され、上り制御チャネルは、ランダムアクセスによって送信される。
【００１６】
業務無線用端末装置１６は、業務無線用基地局装置１４を介して、図示しない他の業務無線用端末装置１６と通信可能な無線端末である。ここでは、通信として通話がなされるものとする。なお、データ通信がなされてもよい。業務無線用端末装置１６は、業務無線用基地局装置１４と通信可能なエリアに進入すると、業務無線用基地局装置１４に対して、上り制御チャネルにて位置登録とグループ登録とを要求する。業務無線用基地局装置１４は、要求に応じて、グループ単位に業務無線用端末装置１６を登録する。
【００１７】
ひとつの業務無線用端末装置１６において発呼が発生した場合、業務無線用端末装置１６は、上り制御チャネルにおいて、発信要求を送信する。上り制御チャネルを受信した業務無線用基地局装置１４は、当該業務無線用端末装置１６を前述の送信装置とし、送信装置が含まれたグループにチャネルを割り当てる。ここでのチャネルは、下りチャネルと上りチャネルとの総称である。業務無線用基地局装置１４は、他の業務無線用基地局装置１４に対して、当該グループに対してチャネルを割り当てることを業務無線用ネットワーク１２経由で要求する。他の業務無線用基地局装置１４は、要求に応じて、当該グループが登録されているかを確認する。登録されている場合、他の業務無線用基地局装置１４は、当該グループにチャネルを割り当てる。
【００１８】
業務無線用基地局装置１４および他の業務無線用基地局装置１４は、割り当てたチャネルの情報が含まれた下り制御チャネルを業務無線用端末装置１６に送信する。当該グループに含まれた残りの業務無線用端末装置１６である受信装置と、送信装置とは、下り制御チャネルを受信することによって、割り当てられたチャネルを認識する。送信装置は、割り当てられた上りチャネルにて信号を業務無線用基地局装置１４へ送信する。当該信号には、デジタル化された音声信号が含まれている。業務無線用基地局装置１４は、送信装置が含まれたグループ内に受信装置が含まれている場合、割り当てた下りチャネルにて信号を受信装置へ送信する。また、業務無線用基地局装置１４は、受信した信号を他の業務無線用基地局装置１４へ送信する。他の業務無線用基地局装置１４は、割り当てた下りチャネルにて信号を受信装置へ送信する。受信装置は、受信した信号をもとに音声信号を再生して、スピーカから音声を出力する。
【００１９】
このように、複数の業務無線用端末装置１６が含まれたグループが複数形成されている。また、複数の業務無線用基地局装置１４のそれぞれがグループ単位にチャネルを割り当てる。その結果、チャネルを割り当てたグループに含まれたひとつの業務無線用端末装置１６から、当該グループに含まれた残りの業務無線用端末装置１６への通信がなされる。なお、グループに含まれた複数の業務無線用端末装置１６の間で、送信装置と受信装置とが入れ替わってもよい。受信装置として動作した業務無線用端末装置１６において、送信すべき信号が発生した場合、当該業務無線用端末装置１６は、前述のごとく、発信要求が含まれた上り制御チャネルを送信することによって、送信装置に切り替わる。また、送信装置として動作した業務無線用端末装置１６は、信号の送信を終了すると、受信装置に切り替わる。このように、業務無線用端末装置１６は、送信装置および受信装置の一方として動作するので、業務無線用端末装置１６によって片方向の通話が可能になる。
【００２０】
移動通信用ネットワーク１８、移動通信用基地局装置２０、移動通信用端末装置２２は、前述のごとく、移動通信システム２６に含まれる。移動通信システム２６は、例えば、第３世代携帯電話システムである。移動通信用基地局装置２０は、ひとつの移動通信用端末装置２２に対して、下りチャネルと上りチャネルとの組合せを割り当てる。そのため、移動通信用端末装置２２によって双方向の通話が可能になる。
【００２１】
転送装置１０は、一端側が業務無線用ネットワーク１２に接続され、他端側が移動通信用ネットワーク１８に接続される。転送装置１０は、業務用無線システム２４と移動通信システム２６との間の通信を相互接続する。具体的に説明すると、転送装置１０は、業務無線用端末装置１６からの音声信号を移動通信用端末装置２２へ転送し、移動通信用端末装置２２からの音声信号を業務無線用端末装置１６へ転送する。業務無線用端末装置１６から移動通信用端末装置２２へ電話番号に基づいて接続する構成に関しては、例えば、前述の特許文献１に開示されているので、ここでは説明を省略する。
【００２２】
図２は、転送装置１０の構成を示す。転送装置１０は、第１受信部４０、第１送信部４２、第２受信部４４、第２送信部４６、制御部４８、記憶部５０を含む。第１受信部４０は、図示しない移動通信用ネットワーク１８に接続される。第１受信部４０は、移動通信用基地局装置２０、移動通信用ネットワーク１８を介して、移動通信用端末装置２２から、業務無線用端末装置１６への音声信号を受信する。前述のごとく、移動通信用端末装置２２は、双方向の通話を実行する移動通信システム２６に含まれ、業務無線用端末装置１６は、片方向の通話を実行する業務用無線システム２４に含まれる。
【００２３】
第１送信部４２は、図示しない業務無線用ネットワーク１２に接続される。第１送信部４２は、業務無線用ネットワーク１２、業務無線用基地局装置１４を介して業務無線用端末装置１６へ、第１受信部４０において受信した音声信号を送信する。第２受信部４４は、図示しない業務無線用ネットワーク１２に接続される。第２受信部４４は、業務無線用基地局装置１４、業務無線用ネットワーク１２を介して業務無線用端末装置１６から、移動通信用端末装置２２への音声信号を受信する。第２送信部４６は、図示しない移動通信用ネットワーク１８に接続される。第２送信部４６は、移動通信用ネットワーク１８、移動通信用基地局装置２０を介して移動通信用端末装置２２へ、第２受信部４４において受信した音声信号を送信する。
【００２４】
これまでの処理は、業務用無線システム２４と移動通信システム２６との間における音声信号の転送に相当する。以下では、業務無線用端末装置１６の送信処理中に、業務無線用端末装置１６への音声信号を移動通信用端末装置２２が送信した場合の処理を説明する。制御部４８は、第１受信部４０において音声信号を受信した場合に、当該音声信号の宛先となる業務無線用端末装置１６からの音声信号を第２受信部４４が受信しているかを確認する。第２受信部４４が音声信号を受信している場合、制御部４８は、第１受信部４０において受信した音声信号を第１送信部４２から送信せずに、記憶部５０に記憶させる。
【００２５】
記憶部５０は、制御部４８に接続された記憶媒体である。記憶部５０は、制御部４８からの音声信号を受けつけると、音声信号を記憶する。ここで、音声信号は、デジタル信号である。なお、記憶部５０での記憶は、第１受信部４０における音声信号の受信が終了するまで続けられる。つまり、記憶部５０は、第２受信部４４が受信した音声信号を第２送信部４６が送信している場合に、第１受信部４０において受信した音声信号を記憶する。
【００２６】
制御部４８は、第２受信部４４における音声信号の受信の終了を検出する。制御部４８は、終了を検出すると、第１送信部４２に対して、記憶部５０に記憶した音声信号を送信させる。第１送信部４２は、制御部４８からの指示に応じて、第２受信部４４における音声信号の受信が終了した場合に、記憶部５０に記憶した音声信号を送信する。
【００２７】
次に、第２受信部４４が音声信号を受信している途中に、第１受信部４０が音声信号を受信し、かつ第１受信部４０における音声信号の受信が終了するまでに、第２受信部４４における音声信号の受信が終了した場合を説明する。制御部４８は、第１受信部４０において受信した音声信号を記憶部５０に記憶させている途中において、第２受信部４４における音声信号の受信が終了した場合であっても、第１受信部４０において受信した音声信号の記憶を記憶部５０に続行させる。記憶部５０は、制御部４８からの指示にしたがって、音声信号の記憶を続行する。
【００２８】
制御部４８は、第２受信部４４における音声信号の受信が終了した場合に、第１送信部４２に対して、記憶部５０における音声信号を記憶した順に送信させる。第１送信部４２は、制御部４８からの指示にしたがって、音声信号を記憶した順に送信する。つまり、このような場合において、移動通信用端末装置２２から業務無線用端末装置１６への音声信号の転送は、一定期間の遅延を持ってなされる。一定期間は、第２受信部４４が音声信号を受信している途中に、第１受信部４０が音声信号を受信したタイミングから、第２受信部４４における音声信号の受信が終了したタイミングとの時間差よりも長くなる。
【００２９】
業務無線用端末装置１６での送信が終了し、記憶部５０に記憶した音声信号を業務無線用端末装置１６へ送信している間は、移動通信用端末装置２２において無音状態が生じる。無音状態では、移動通信用端末装置２２のユーザがさらに話し始めてしまうおそれがある。そのため、制御部４８は、第２送信部４６、移動通信用ネットワーク１８、移動通信用基地局装置２０を介して移動通信用端末装置２２へ、業務無線用端末装置１６が受信中である旨を示すアナウンス音声や、Ｂｅｅｐ音等を送信してもよい。無音状態を防ぐために、さらに次の処理がなされてもよい。
【００３０】
制御部４８は、第２受信部４４において受信した音声信号を第２送信部４６に送信させている間に、記憶部５０における音声信号の記憶が終了した場合、第２受信部４４において受信した音声信号を第２送信部４６から送信する際の話速を遅くさせる。ここで、遅くする話速は、予め定められていればよい。第２送信部４６は、制御部４８からの指示に応じて、話速を遅くして音声信号を移動通信用端末装置２２へ送信する。
【００３１】
制御部４８は、第２受信部４４における音声信号の受信が終了した場合に、第２送信部４６からの音声信号の送信が終了するタイミングが、第１送信部４２での音声信号の送信が終了するタイミングに近くなるように、第２送信部４６から送信させる音声信号の話速を調節する。近くとは、誤差の範囲で両方のタイミングが一致することである。例えば、制御部４８は、記憶部５０に記憶した音声信号を第１送信部４２から送信し終えるまでの期間を計算する。また、制御部４８は、第２送信部４６から送信させるべき音声信号の残りデータ量を特定する。さらに、制御部４８は、計算した期間と、データ量とをもとに話速を導出する。第２送信部４６は、制御部４８からの指示に応じて、話速を調節して音声信号を移動通信用端末装置２２へ送信する。第１受信部４０において音声信号の受信を開始した時点から、第２送信部から送信する話速を遅くしてもよい。
【００３２】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３３】
以上の構成による通信システム１００の動作を説明する。図３は、通信システム１００による転送手順を示す。業務無線用端末装置１６では、ＰＴＴがＯＮにされる（Ｓ１０）。業務無線用端末装置１６は、音声信号Ａを送信する（Ｓ１２）。転送装置１０は、音声信号Ａを受信し（Ｓ１４）、音声信号Ａを送信する（Ｓ１６）。移動通信用端末装置２２は、音声信号Ａを受信する（Ｓ１８）。移動通信用端末装置２２は、音声信号Ｂを送信する（Ｓ２０）。転送装置１０は、音声信号Ｂを受信する（Ｓ２２）。業務無線用端末装置１６では、ＰＴＴがＯＦＦにされる（Ｓ２４）。転送装置１０は、音声信号Ｂ’を送信する（Ｓ２６）。音声信号Ｂ’は、記憶部５０で記憶した音声信号Ｂに相当する。業務無線用端末装置１６は、音声信号Ｂ’を受信する（Ｓ２８）。
【００３４】
図４は、通信システム１００による別の転送手順を示す。業務無線用端末装置１６では、ＰＴＴがＯＮにされる（Ｓ４０）。業務無線用端末装置１６は、音声信号Ｃを送信する（Ｓ４２）。転送装置１０は、音声信号Ｃを受信し（Ｓ４４）、音声信号Ｃを送信する（Ｓ４６）。移動通信用端末装置２２は、音声信号Ｃを受信する（Ｓ４８）。移動通信用端末装置２２は、音声信号Ｄを送信する（Ｓ５０）。転送装置１０は、音声信号Ｄを受信する（Ｓ５２）。業務無線用端末装置１６では、ＰＴＴがＯＦＦにされる（Ｓ５４）。転送装置１０は、音声信号Ｄの受信を継続しながら、音声信号Ｄ’を送信する（Ｓ５６）。音声信号Ｄ’は、記憶部５０で記憶した音声信号Ｄに相当する。業務無線用端末装置１６は、音声信号Ｄ’を受信する（Ｓ５８）。
【００３５】
図５は、通信システム１００によるさらに別の転送手順を示す。業務無線用端末装置１６では、ＰＴＴがＯＮにされる（Ｓ７０）。業務無線用端末装置１６は、音声信号Ｅを送信する（Ｓ７２）。転送装置１０は、音声信号Ｅを受信し（Ｓ７４）、音声信号Ｅを送信する（Ｓ７６）。移動通信用端末装置２２は、音声信号Ｅを受信する（Ｓ７８）。移動通信用端末装置２２は、音声信号Ｆを送信する（Ｓ８０）。転送装置１０は、音声信号Ｆを受信する（Ｓ８２）。音声信号Ｆの受信を開始すると、転送装置１０は、音声信号Ｅ’を送信する（Ｓ８４）。音声信号Ｅ’は、音声信号Ｅの話速を遅くした信号である。移動通信用端末装置２２は、音声信号Ｅ’を受信する（Ｓ８６）。
【００３６】
業務無線用端末装置１６では、ＰＴＴがＯＦＦにされる（Ｓ８８）。転送装置１０は、音声信号Ｆ’を送信する（Ｓ９０）。音声信号Ｆ’は、記憶部５０で記憶した音声信号Ｆに相当する。業務無線用端末装置１６は、音声信号Ｆ’を受信する（Ｓ９２）。転送装置１０は、音声信号Ｅ’’を送信する（Ｓ９４）。音声信号Ｅ’’は、音声信号Ｅの話速を調節した信号である。移動通信用端末装置２２は、音声信号Ｅ’’を受信する（Ｓ９６）。
【００３７】
本実施例によれば、第２受信部が受信した音声信号を第２送信部が送信している場合に、第１受信部において受信した音声信号を記憶し、第２受信部における音声信号の受信が終了した場合に、記憶部に記憶した音声信号を第１送信部から送信するので、異なった通信システムが相互接続する場合に、音声を確実に転送できる。また、業務無線用端末装置が送信中に移動通信用端末装置のユーザが話した音声を業務無線用端末装置のユーザが聞くことができる。また、移動通信用端末装置のユーザに聞き返したりすることを回避できる。また、第２受信部における音声信号の受信が終了した場合に、記憶部における音声信号を記憶した順に送信するので、音声信号の転送をスムーズにできる。また、第２受信部において受信した音声信号の送信が終了するタイミングが、第１送信部における音声信号の送信が終了するタイミングに近くなるように、話速を調節するので、無音状態の発生を抑制できる。
【００３８】
（実施例２）
次に、実施例２を説明する。実施例２は、実施例１と同様に、双方向の通話を実行する第１通信システムと、片方向の通話を実行する第２通信システムとの間で音声信号を転送する転送装置に関する。実施例２は、業務用無線システムの端末装置の送信中に、移動通信システムの端末装置のユーザが話し始めたことを業務用無線システムの端末装置のユーザに知らせることを目的にする。これに対応するために、業務用無線システムの端末装置の送信中に、移動通信システムの端末装置からの音声を受けつけると、下り制御チャネルにてその通知を業務用無線システムの端末装置に送信する。この前提として、業務用無線システムの端末装置は、上りチャネルにて音声信号を送信中であっても、下り制御チャネルを受信できるものとする。実施例２に係る通信システム１００は、図１と同様である。ここでは、実施例１との差異を中心に説明する。
【００３９】
図６は、本発明の実施例２に係る転送装置１０の構成を示す。転送装置１０は、図２の構成に加えて、検知部５２を含む。検知部５２は、第２受信部４４が受信した音声信号を第２送信部４６が送信している場合に、第１受信部４０における音声信号の受信を検知する。制御部４８は、検知部５２において検知がなされると、第１受信部４０における音声信号の受信を知らせるための信号（以下、「通知」という）を第１送信部４２へ出力する。第１送信部４２は、業務無線用ネットワーク１２、業務無線用基地局装置１４を介して、業務無線用端末装置１６へ通知を送信する。通知は、業務用無線システム２４において下り制御チャネルにて送信される。業務無線用端末装置１６は、下り制御チャネルにて通知を受信すると、Ｂｅｅｐ音やＬＥＤ等でユーザに受信を知らせる
【００４０】
これまでは、業務用無線システムの端末装置は、上りチャネルにて音声信号を送信中であっても、下り制御チャネルを受信できるものとしていたが、下り制御チャネルを受信できない場合、次の処理が実行される。業務無線用端末装置１６は、ユーザの発話の有無を検知する手段をさらに備える構成とし、音声信号の送信中にユーザの発話が途切れたことを検出したときに、業務無線用基地局装置１４、業務無線用ネットワーク１２を介して転送装置１０に、移動通信用端末装置２２の音声有無の通知を要求すると同時に、送信を停止する。制御部４８は、業務無線用端末装置１６から、移動通信用端末装置２２の音声有無の通知が要求された場合、移動通信用端末装置２２からの音声信号が記憶部５０に記憶されていれば、通知を第１送信部４２から送信させる。業務無線用端末装置１６は、転送装置１０から、移動通信用端末装置２２の音声が有ることを示す通知を受信すると、Ｂｅｅｐ音やＬＥＤ等でユーザに受信を知らせる。さらに、業務無線用端末装置１６は、ユーザの発話が再開したことを検知すると、音声信号の送信を開始する。なお、業務無線用端末装置１６から要求された時点で音声が記憶されていなくても、次に業務無線用端末装置１６が送信開始するまでの間に移動通信用端末装置２２から音声が入力されれば、制御部４８は、通知を第１送信部４２から随時送信させる。
【００４１】
図７は、本発明の実施例２に係る通信システム１００による転送手順を示す。業務無線用端末装置１６では、ＰＴＴがＯＮにされる（Ｓ１１０）。業務無線用端末装置１６は、音声信号Ｇを送信する（Ｓ１１２）。転送装置１０は、音声信号Ｇを受信し（Ｓ１１４）、音声信号Ｇを送信する（Ｓ１１６）。移動通信用端末装置２２は、音声信号Ｇを受信する（Ｓ１１８）。移動通信用端末装置２２は、音声信号Ｈを送信する（Ｓ１２０）。転送装置１０は、音声信号Ｈを受信する（Ｓ１２２）。
【００４２】
転送装置１０は、受信開始を検出する（Ｓ１２４）。転送装置１０は、通知を送信する（Ｓ１２６）。業務無線用端末装置１６は、通知を表示する（Ｓ１２８）。転送装置１０は、受信終了を検出する（Ｓ１３０）。業務無線用端末装置１６では、ＰＴＴがＯＦＦにされる（Ｓ１３２）。転送装置１０は、音声信号Ｈ’を送信する（Ｓ１３４）。音声信号Ｈ’は、記憶部５０で記憶した音声信号Ｈに相当する。業務無線用端末装置１６は、音声信号Ｈ’を受信する（Ｓ１３６）。
【００４３】
図８は、本発明の実施例２に係る通信システム１００による別の転送手順を示す。業務無線用端末装置１６では、ＰＴＴがＯＮにされる（Ｓ１５０）。業務無線用端末装置１６は、音声信号Ｉを送信する（Ｓ１５２）。転送装置１０は、音声信号Ｉを受信し（Ｓ１５４）、音声信号Ｉを送信する（Ｓ１５６）。移動通信用端末装置２２は、音声信号Ｉを受信する（Ｓ１５８）。業務無線用端末装置１６は、無音検出を実行する（Ｓ１６０）。業務無線用端末装置１６は、要求信号を送信する（Ｓ１６２）。
【００４４】
業務無線用端末装置１６は、音声信号Ｉ’を送信する（Ｓ１６４）。音声信号Ｉ’は、音声信号Ｉに続く信号である。転送装置１０は、音声信号Ｉ’を受信し（Ｓ１６６）、音声信号Ｉ’を送信する（Ｓ１６８）。移動通信用端末装置２２は、音声信号Ｉ’を受信する（Ｓ１７０）。移動通信用端末装置２２は、音声信号Ｊを送信する（Ｓ１７２）。転送装置１０は、音声信号Ｊを受信する（Ｓ１７４）。業務無線用端末装置１６は、無音検出を実行する（Ｓ１７６）。業務無線用端末装置１６は、要求信号を送信する（Ｓ１７８）。転送装置１０は、通知を送信する（Ｓ１８０）。業務無線用端末装置１６は、通知を表示する（Ｓ１８２）。
【００４５】
業務無線用端末装置１６は、音声信号Ｉ’’を送信する（Ｓ１８４）。音声信号Ｉ’’は、音声信号Ｉ’に続く信号である。転送装置１０は、音声信号Ｉ’’を受信し（Ｓ１８６）、音声信号Ｉ’’を送信する（Ｓ１８８）。移動通信用端末装置２２は、音声信号Ｉ’’を受信する（Ｓ１９０）。業務無線用端末装置１６では、ＰＴＴがＯＦＦにされる（Ｓ１９２）。転送装置１０は、音声信号Ｊ’を送信する（Ｓ１９４）。音声信号Ｊ’は、記憶部５０で記憶した音声信号Ｊに相当する。業務無線用端末装置１６は、音声信号Ｊ’を受信する（Ｓ１９６）。
【００４６】
本実施例によれば、第１受信部における音声信号の受信の通知を第１送信部から送信するので、受信を知らせることができる。また、受信が知らされるので、業務無線用端末装置のユーザに送信の終了を促すことができる。また、上りチャネルにて音声信号を送信中であるときに、下り制御チャネルを受信できない業務無線用端末装置１６に対して、無音状態のときに通知を送信するので、受信を知らせることができる。
【００４７】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００４８】
本発明の実施例１、２において、第１通信システムが、移動通信システム２６であるとしている。しかしながらこれに限らず、第１通信システムが有線の電話網であってもよい。本変形例によれば、構成の自由度を向上できる。
【符号の説明】
【００４９】
１０  転送装置、  １２  業務無線用ネットワーク、  １４  業務無線用基地局装置、  １６  業務無線用端末装置、  １８  移動通信用ネットワーク、  ２０  移動通信用基地局装置、  ２２  移動通信用端末装置、  ２４  業務用無線システム、  ２６  移動通信システム、  ４０  第１受信部、  ４２  第１送信部、  ４４  第２受信部、  ４６  第２送信部、  ４８  制御部、  ５０  記憶部、  １００  通信システム。
【図１】
2015192340.tif 000003
【図２】
2015192340.tif 000004
【図３】
2015192340.tif 000005
【図４】
2015192340.tif 000006
【図５】
2015192340.tif 000007
【図６】
2015192340.tif 000008
【図７】
2015192340.tif 000009
【図８】
2015192340.tif 000010